(57)【要約】　　　（修正有）【課題】内装の場合は、作業者が特別な別工程を強いられることなく、バッグ本来の縫製作業の一連の工程中に組み込むことができ、作業工数の削減と簡略化を図り、外装の場合は、小型化の要求を緩和し、小型化に伴うコストアップや取付強度の低下を回避すると共に、ケース自体をアクセサリーの如く装飾品として機能させ、広告、宣伝用の媒体としても利用できるようにし、内・外装夫々に最適な収納装置を得る。【解決手段】バックに内装される吊下げ帯収納装置１は、ケース体３に、バッグ６内部の上側隅部で、その上面と側面の夫々に跨らして面当てされる取付片３１と３２を設け、前記取付片３１，３２を介して前記上側隅部に対面させて取り付けする。また、外装するものは、吊下げ帯収納機構を覆って装置外観を携帯物用装飾品に擬似化させる装飾ケースを設ける。【選択図】　　　　図３
2004129846.tif 000002
【特許請求の範囲】
【請求項１】
ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とする吊下げ帯収納装置およびその携帯物。
【請求項２】
バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えおり、該ケース体に、前記携帯物内部の上側隅部で、その上面と側面の夫々に跨らして面当てされる取付片を設け、吊下げ帯収納装置を、前記取付片を介して前記上側隅部に対面させて取り付けすることを特徴とする吊下げ帯収納装置およびその携帯物。
【請求項３】
請求項２において、前記携帯物には、吊下げ帯収納装置の対面領域に前記操作手段を外部から操作する連通孔と、吊下げ帯の外部への引出口を形成せしめたことを特徴とする吊下げ帯収納装置およびその携帯物。
【請求項４】
請求項２乃至３において、前記ケース体は、前記取付片間に上面と側面に跨って対面開口する収容部が設けられ、前記吊下げ帯収納機構は、該収容部に嵌装されるよう構成されることを特徴とする吊下げ帯収納装置およびその携帯物。
【請求項５】
請求項４において、前記吊下げ帯収納機構の前記ケース体への収容は、吊下げ帯収納機構のブラケットに設けた係止部を、前記取付片側の開口端縁に係止させ、これを支点として円周回りに嵌装可能に構成してあることを特徴とする吊下げ帯収納装置およびその携帯物。
【請求項６】
請求項１乃至５において、前記携帯物に、吊下げ帯先端のフック部を掛着するリング体を携帯物一側面と他側面にそれぞれ設け、前記引き出された吊下げ帯を振り分けして、携帯物を縦姿勢と横姿勢の何れかの姿勢を選択的に使用可能に構成したこと特徴とする吊下げ帯収納装置およびその携帯物。
【請求項７】
請求項１乃至６において、前記携帯物の側面には、吊下げ帯引き込み収納された際に、その余端部として収納されないショルダーパットを格納するパットホルダーが設けられていること特徴とする吊下げ帯収納装置およびその携帯物。
【請求項８】
請求項１乃至７において、前記吊下げ帯収納装置は、少なくとも四周面の上面及び側面に跨って設けられる補強フレームに取り付けされ、前記引出し口は、補強フレームに穿設された吊下げ帯ガイド孔により形成されていること特徴とする吊下げ帯収納装置およびその携帯物。
【請求項９】
請求項８において、前記補強フレームには、前記吊下げ帯を引出し・引込み操作する操作手段を、携帯物外部より操作可能に切欠きせしめた切欠き孔が設けられていること特徴とする吊下げ帯収納装置およびその携帯物。
【請求項１０】
バッグ等の携帯物の外部に露出させて取り付けられる吊下げ帯収納装置であって、該吊下げ帯収納装置は、ショルダーバンド等の吊下げ帯を引き込み収納する吊下げ帯収納機構と、該吊下げ帯収納機構を覆って収納装置外観を乗り物、動物、飲料容器、スポーツ用具、キャラクターグッズ等の携帯物用装飾品に擬似化させた装飾ケース体とを備えることを特徴とする吊下げ帯収納装置。
【請求項１１】
請求項１０において、前記装飾ケース体は、前記吊下げ帯収納機構または携帯物の機能的外形に沿わない膨出部を有することを特徴とする吊下げ帯収納装置。
【請求項１２】
請求項１０又は１１において、前記装飾ケース体は、広告、宣伝用の媒体として構成してあることを特徴とする吊下げ帯収納装置。
【請求項１３】
請求項１０乃至１２において、前記装飾ケースは、缶入り飲料の容器形状を有することを特徴とする吊下げ帯収納装置。
【請求項１４】
請求項１０乃至１３において、前記装飾ケースは、前記吊下げ帯収納装置を前記携帯物に取り付けるための取付部を有することを特徴とする吊下げ帯収納装置。
【請求項１５】
請求項１０乃至１４において、前記取付部は、前記吊下げ帯収納機構よりも幅広に形成されていることを特徴とする吊下げ帯収納装置。
【請求項１６】
請求項１０乃至１５において前記吊下げ帯収納装置は、前記携帯物に対して着脱自在に取り付けられることを特徴とする吊下げ帯収納装置。
【請求項１７】
請求項１０乃至１６において、前記吊下げ帯収納装置は、前記携帯物に対して一体的に取り付けられることを特徴とする吊下げ帯収納装置。
【請求項１８】
バッグ等の携帯物の外部に露出させて取り付けられ、ショルダーバンド等の吊下げ帯を引き込み収納する吊下げ帯収納装置用のケースであって、該ケースは、吊下げ帯収納機構を覆って収納装置外観を乗り物、動物、飲料容器、スポーツ用具、キャラクターグッズ等の携帯物用装飾品に擬似化させる装飾ケースであることを特徴とする吊下げ帯収納装置用装飾ケース。
【請求項１９】
請求項１８において、前記装飾ケースは、前記吊下げ帯収納装置または携帯物の機能的外形に沿わない膨出部を有することを特徴とする吊下げ帯収納装置用装飾ケース。
【請求項２０】
請求項１８または１９において、前記装飾ケースは、広告、宣伝用の媒体として構成してあることを特徴とする吊下げ帯収納装置用装飾ケース。
【請求項２１】
請求項１８乃至２０において、前記装飾ケースは、缶入り飲料の容器形状を有することを特徴とする吊下げ帯収納装置用装飾ケース。
【請求項２２】
請求項１８乃至２１において、前記装飾ケースは、前記吊下げ帯収納装置を前記携帯物に取り付けるための取付部を有することを特徴とする請吊下げ帯収納装置用装飾ケース。
【請求項２３】
請求項１８乃至２２において、前記取付部は、前記吊下げ帯収納装置よりも幅広に形成されていることを特徴とする吊下げ帯収納装置用装飾ケース。
【請求項２４】
請求項１８乃至２３において、前記前記装飾ケースは、前記吊下げ帯収納装置に対して着脱自在に取り付けられることを特徴とする吊下げ帯収納装置用装飾ケース。
【請求項２５】
バッグ等の携帯物に取り付けられる乗り物、動物、飲料容器、スポーツ用具、キャラクターグッズ等がデザイン化された装飾品であって、該装飾品には、ショルダーバンド等の吊下げ帯を引き込み収納する吊下げ帯収納機構が組み込まれていることを特徴とする携帯物用装飾品。
【請求項２６】
請求項２５において、前記装飾品は、前記吊下げ帯収納機構または携帯物の機能的外形に沿わない膨出部を有することを特徴とする請求項１６に記載の携帯物用装飾品。
【請求項２７】
請求項２５または２５において、前記装飾品は、広告、宣伝用の媒体として構成してあることを特徴とする携帯物用装飾品。
【請求項２８】
請求項２５乃至２７において、前記装飾品は、缶入り飲料の容器形状を有することを特徴とする請求項１６乃至１８のいずれかに記載の携帯物用装飾品。
【請求項２９】
請求項２５乃至２８において、前記装飾品は、前記携帯物に取り付けるための取付部を有し、且つ、該取付部が前記吊下げ帯収納機構よりも幅広に形成されていることを特徴とする携帯物用装飾品。
【請求項３０】
請求項２５乃至２９において、前記装飾品は、前記携帯物に対して着脱自在に取り付けられることを特徴とする携帯物用装飾品。
【請求項３１】
請求項２５乃至３０において、前記装飾品は、前記携帯物に対して一体的に取り付けられることを特徴とする携帯物用装飾品。
【発明の詳細な説明】
【０００１】
【発明の属する技術分野】
本発明は、バッグ、カメラ、ボックス等の携帯物に取り付けられるショルダーバンド、ストラップ等の吊下げ帯を引き込み収納する吊下げ帯収納装置、または吊下げ帯収納装置が設けられた携帯物、または、該吊下げ帯収納装置を覆う吊下げ帯収納装置用装飾ケース、さらに、前記携帯物に取り付けられる携帯物用装飾品に関する。
【０００２】
【従来の技術】
一般に、携帯物のなかには、例えば、手提カバンやスポーツバッグの如く、ショルダーバンド等の吊下げ帯を備えるものがある。この種のショルダーバンドは、大きい荷物や重い荷物を長時間持ち運ぶことを可能にする許りでなく、荷物を運びながら両手が使える等、その使い勝手の良さから種々の用途に採用されており、例えば、バッグにおいては、把手とショルダーバンドとを併設し、状況に応じて何れかを選択的に使用可能な２ＷＡＹ方式を採用しているものが一般的である。しかしながら、上記ショルダーバンドは、通常、可撓性を有する長尺な帯状体によって形成されるため、不使用時にはバッグから垂れ下がってしまい、そのため、持ち運びの際に突起物等に引掛けたり、バッグを地面等に置いた際に汚してしまう等の欠点を有している。
【０００３】
この様な問題に対処するために、出願人は、特許第２７２９４０８号公報に示される吊下げ帯収納装置を過去に提案した。この吊下げ帯収納装置は、ショルダーバンドの一端側を引込収納する引込み手段と、ショルダーバンドの移動を規制するロック手段とを備えるため、ショルダーバンドの要・不要に応じた引出し・引込み操作が可能になる。つまり、不使用時においては、ショルダーバンドを吊下げ帯収納装置に引込み収納することにより、バッグからショルダーバンドが垂れ下がることを回避できるので、持ち運びの際に突起物等に引掛けたり、バッグを地面等に置いた際に汚してしまう等の上記従来の欠点を解消することが可能になる。
【０００４】
しかしながら、上記のような吊下げ帯収納装置をバッグの内部や外部に設けるにあたり、内装する場合にあっては、通常のバッグ制作工程に、固有の装置取付け工程を組み込まなければならない。バッグの制作においては、布や皮製品であるため縫製手作業により形を整えながら行われている実情があり、特に、従来のものにあっては、別途取付けフレームをバッグに取付け、これに収納装置を装着するようにしていたため、取付け構造が複雑となり、制作作業者は、バッグの制作とは全く無関係な孔開け作業や取付け作業を強いられることになり、手慣れたバッグ縫製作業以上に制作時間を要してしまい、バッグ自体の価格で吸収できないほどに制作コストが嵩み、制作業者側から受注が敬遠されるなど製品化を妨げる要因となっていた。
また、バッグの中には、横向きと縦向きの姿勢で使用可能になっていているものがあるが、これらバッグのショルダーバンドは、常時使用される一方の横姿勢のみに用いることはできても、他方の縦姿勢においては使用することができず、夫々に使い分けできないものであった。
【０００５】
一方、上記のもののようにバッグに内装する場合にあっては、吊下げ帯収納装置が、バック自体の収容空間を占有してしまうため、大型のスポーツバッグ等への採用は比較的容易に行えるが、小型のバッグに採用することが難しいという問題点がある。
また、実公昭５６−１２０７号公報や特開平４−１１５２４５号公報に開示された如く、吊下げ帯収納装置を、携帯物の外観形態の一部として形成し、全体を同化させその存在感を無くすことも提案されるが、このものでは違和感を解消することはできても、バック自体の収容空間を占有してしまう不具合を解消することはできない。
【０００６】
そこで、特許第２７２９４０８号公報に示されるように、吊下げ帯収納装置を、バッグの外部に取り付けることが提案されるが、この場合には、吊下げ帯収納装置がバッグの外観を損ねる惧れがあるため、収納機構自体のコンパクト化を図ると共に、そのケース自体もその収納機構を構成する機能を覆うための必要最小限の形状のもので形成し、できるだけ目立たないようにしてその存在感と違和感を無くす試みが図られていた。しかし、吊下げ帯収納装置は、長尺なショルダーバンドを引込み収納するものであるため、全体の小型化には限界があり、しかも、吊下げ帯収納装置を小型化すると、バッグに対する取付強度が低下し、本来の機能を損なう可能性がある。
したがって、バックに内装する場合と外装する場合におけるこれら問題点を解消できるような吊下げ帯収納装置の出現が望まれていた。
【特許文献１】
特許第２７２９４０８号公報
実公昭５６−１２０７号公報
特開平４−１１５２４５号公報
【０００７】
【発明が解決しようとする課題】
本発明は、上記の如き問題点を一掃すべく創案されたものであって、その１の目的は、吊下げ帯収納装置を携帯物に内装して取り付けする際に、バッグ自体の構成部材として採用されている補強フレームが、上面および両側面に跨って取り付けられ、かつバッグ自体の制作工程に組み込まれる部材であることに着目することにより、吊下げ帯収納装置固有の取付け基板を用いることなく、この補強フレームに対して直接的に対面取付けすることができるようになった。その結果、バッグコーナー部に、吊下げ帯の引出口や操作手段への連通孔を近接形成し得て、これらを補強フレームに設けることが可能となり、取付け構造が簡素化され、作業者が把手やフック引っ掛け用リンク等の部材を取り付けるのと同様の作業工程として、バッグ本来の縫製作業の一連の工程中に組み込むことができ、特異な工程が殆ど不要となり作業工数の削減と簡略化が図られ、低コストにて組付できる。さらに、縦向き・横向きの２面のバッグ姿勢で使用できるタイプのものにも、何れの使い勝手においても吊下げ帯を振り分けて使用することができる吊下げ帯収納装置、またはその携帯物を提供するにある。
また、本発明の他の１の目的は、吊下げ帯収納装置を外部に取り付ける際、ケース自体をアクセサリーの如く装飾品として機能させることができ、その存在によって携帯物の外観を損ねる不都合を払拭することができるばかりか、広告、宣伝用の媒体としても利用することができ、受注業者に対してロゴなどと共に固有のキャラクター形状等最適なものを提供することが可能となり、しかも、吊下げ帯収納装置に対する小型化の要求を緩和し、小型化に伴うコストアップや取付強度の低下を回避することができ、小型の携帯物にも取付けできるようになって、吊下げ帯収納装置本来の用途範囲を拡大し得る吊下げ帯収納装置、吊下げ帯収納装置用装飾ケースおよび携帯物用装飾品を提供するにある。
【０００８】
【課題を解決するための手段】
上記課題を解決するために本発明の吊下げ帯収納装置およびその携帯物は、ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とするものである。
また、上記課題を解決するために本発明の吊下げ帯収納装置およびその携帯物は、バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えおり、該ケース体に、前記携帯物内部の上側隅部で、その上側面と側面の夫々に跨らして面当てされる取付片を設け、吊下げ帯収納装置を、前記取付片を介して前記上側隅部に対面させて取り付けすることを特徴とするものである。
また、上記課題を解決するために本発明の吊下げ帯収納装置は、バッグ等の携帯物の外部に露出させて取り付けられる吊下げ帯収納装置であって、該吊下げ帯収納装置は、ショルダーバンド等の吊下げ帯を引き込み収納する吊下げ帯収納機構と、該吊下げ帯収納機構を覆って収納装置外観を車両、航空機、飲料容器、スポーツ用具、キャラクターグッズ等の携帯物用装飾品に擬似化させる装飾ケースとを備えることを特徴とするものである。
また、上記課題を解決するために本発明の吊下げ帯収納装置用装飾ケースは、バッグ等の携帯物の外部に露出させて取り付けられ、ショルダーバンド等の吊下げ帯を引き込み収納する吊下げ帯収納装置用のケースであって、該ケースは、吊下げ帯収納機構を覆って収納装置外観を車両、航空機、飲料容器、スポーツ用具、キャラクターグッズ等の携帯物用装飾品に擬似化させる装飾ケースであることを特徴とするものである。
また、上記課題を解決するために本発明の携帯物用装飾品は、バッグ等の携帯物に取り付けられる乗り物、動物、飲料容器、スポーツ用具、キャラクターグッズ等がデザイン化された装飾品であって、該装飾品には、ショルダーバンド等の吊下げ帯を引き込み収納する吊下げ帯収納機構が組み込まれていることを特徴とするものである。
【０００９】
【発明の実施の形態】
次に、本発明の複数の実施形態を図面に基づいて説明する。図１は吊下げ帯収納装置の斜視図、図２は第１実施形態として例示する吊下げ帯収納装置を装着したバッグの内観斜視図、図３は吊下げ帯収納装置の取り付け状態を示す要部断面図である。これらの図に示すように、吊下げ帯収納装置１は、吊下げ帯収納機構２と該吊下げ帯収納機構を収容するケース体３とからなる。吊下げ帯収納機構２は、樹脂成形された左右一対のブラケット２１、２１間に軸架された巻取軸２２を有しており、その一端がブラケット２１より突出してゼンマイバネ２３に連結される。なお、ゼンマイバネ２３は、一方のブラケット２１の外側に一体形成された格納部２１１に装着されている。
【００１０】
２４は巻取軸２２に一体的に設けられる巻取ドラムであって、該巻取ドラム２４は、前記ゼンマイバネ２３により常時巻取り方向に付勢され、ショルダーバンド４を巻取りおよび繰り出し自在に巻装している。前記巻取ドラム２４は、全体がＨ型形状に樹脂成形され左右に回転部２４１を有しており、この回転部２４１の外周は、所定間隔を存して設けられる凹部２４２、２４２・・・により歯車状に形成されている。
【００１１】
一方、５は操作手段であって、該操作手段５は、前記左右の凹部２４２、２４２にそれぞれ係脱する下向きコ字状に形成され、バネ５５によって常時凹部２４２に係合するよう付勢されたラッチ体（ラッチ係）５１と、該ラッチ体５１に一体成形されたレバー部５２と、携帯物としてのバッグ６の外側面に取り付けられる操作レバー５３とにより構成される。
【００１２】
前記ラッチ体５１は、その左右両側部においてブラケット２１に回転可能に軸支されており、前記レバー部５２前記レバー部５２の先端には、ピン孔５２１が形成される一方、前記操作レバー５３の下面部には、ピン孔５３１を有する連結片５３２が形成されており、両者は軸ピン５４により回転可能に軸着されて連結される。そして、前記操作レバー５３を指先等でスライド操作することで、ラッチ体５１がバネ５５に抗して回動し、凹部２４２との係合が解離され、回転規制された巻取ドラム２４にショルダーバンド４が自動的に巻取られるようになっている。つまり、ショルダーバンド４が引込み収納された状態で操作レバー５３を指先でスライド操作すると、ラッチ体５１と凹部２４２との係合解除に伴ってショルダーバンド４の引出し操作が許容され、この状態でショルダーバンド４を所望の長さまで引出すことができる。その後、前記操作レバー５３から指先を離すと、操作レバー５３が元の位置にスライド復帰し、再びラッチ体５１と凹部２４２とが係合するのに伴い、ショルダーバンド４の引出しおよび引込みが規制され、ショルダーバンド４が使用可能になる。一方、ショルダーバンド４が引出された状態で操作レバー５３をスライド操作すると、ラッチ体５１と凹部２４２との係合解除に伴い、ショルダーバンド４がゼンマイバネ２３の付勢力で自動的に引込み収納されることになる。
【００１３】
前記ケース体３は、全体が円筒状でバッグ６のコーナー部に対面する周面が開口された収容部（ケース部）と、その開口両端縁から延出する水平取付片３１と垂直取付片３２が樹脂部材により一体成形される。前記ブラケット２１は、ケース体３の円筒形状に略適合した形状となっており、ブラケット２１を、係止部２１２，２１２を前記ケース体３の下側開口両端縁に係止するよう嵌装し、この係止部２１２を支点として円周回りに回転しながら収容できるようになっている。そして、前記レバー部５２に設けられた突起（図示しない）に仮組付けされた前記バネ５５の先端が、ケース体３に形成された浅い凹溝３４に容易に嵌入係止されると共に、所定厚さを有するブラケット２１の端面が、ケース体３に形成された係合溝３３、３３にしっかりと係止され、ビス３５により取着される。
【００１４】
次に、吊下げ帯収納装置１のバッグ６への取付け構成について説明する。バッグ６は、全体の基礎形状を成す板状の樹脂製補強フレーム６１が四周面に設けられ、それぞれ所定の布地、皮地等の内装地６２、外装地６３、把手６４等が設けられて構成されている。
吊下げ帯収納装置１は、前記取付片３１、３２を介して、バッグ６内部の上側角隅部で前記補強フレーム６１の上面及び側面に跨って面当て取付けされる。つまり、吊下げ帯収納装置１のバッグ６に対面する側が、バッグ６の湾曲したコーナー形状に略適合した逆Ｌ字形状に形成されており、また、補強フレーム６１には、予め前記レバー部５２と前記連結片５３２とが連結される部位に、操作レバー５３がスライド可能な移動範囲の大きさで切欠き孔６１１が穿設されると共に、ショルダーバンド４を案内するガイド孔６１２が穿設されている。
このガイド孔６１２は、断面視）（状のラッパ型孔形となるよう面取りされていて、丁度補強フレーム６１の上面と側面とが直交するＲ状曲面となる４５゜の角隅部に設けられていて、上面方向と側面方向に略均等の折り返しができるようになっている。なお、操作レバー５３を別途設けるようにしたがレバー部５２を切欠き孔６１１より外部に突出させて、レバー部５２を直接操作するようにしても良く、操作レバー５３をボタン式にしても良い。
【００１５】
７は前記操作レバー５３の下面部に設けられる樹脂製スライド板で、該スライド板７は、前記取付片３１とともにリベット（鋲）９により前記補強フレーム６１を挟んで取着されている。前記取付片３２はリベット９により補強フレーム６１に取着されるが、この場合、従来のショルダーバンド４の引っ掛けリング（図示しない）を止めていたリベット９を用いれば良く、リベット止め作業は前記取付片３１についてのみリベットが追加されるだけである。
８は前記ガイド孔６１２部に縫着される軟質樹脂などの補強パットであって、該補強パット８には、前記ガイド孔６１２より案内されたショルダーバンド４の引出し口８１が設けられ、ショルダーバンド４の引き出し・引き込みによる摺接抵抗により外装地６３の解れなどを防止している。
６５は、ショルダーバンド４を引き込み収納した際に、ショルダーバンド４の先端に設けられたフック（図示しない）と共に、ショルダーパット４１を差込収容しておくホルダーである。
【００１６】
次に、吊下げ帯収納装置１をバッグ６に外装した場合の実施形態の構成について説明する。
図４は第２実施形態の吊下げ帯収納装置を示す斜視図、図５は使用状態を示す斜視図、図６の（Ａ）は第２実施形態を示す吊下げ帯収納装置の正面図、（Ｂ）は取付部の形状を変更した平面図である。これらの図に示すように、第２実施形態の吊下げ帯収納装置１１は、前記吊下げ帯収納機構２と、該吊下げ帯収納機構２を覆う缶入り飲料の容器形状を有する装飾ケース体３ａと、該装飾ケース体３ａに一体的に設けられる取付部３２ａと、該取付部３２ａの先端部に設けられる取付フック４２とを備えて構成されている。例えば、スポーツバッグ６ａにおいて上記の吊下げ帯収納装置１１を使用する場合は、スポーツバッグ６ａの一側部に設けられるリング６６に取付フック４２を係合させると共に、前記操作手段５を構成する操作レバー５３ａを押しながらショルダーバンド４を所望の長さまで引き出し、その後、ショルダーバンド４の先端部に設けられる取付リングまたは取付フック（図示せず）を、スポーツバッグ６ａの他側部に設けられる取付フックまたは取付リング（図示せず）に係合させる。
なお、前記操作レバー５３ａは、前記レバー部５２をそのまま延設成形させて、装飾ケース３ａに穿設された切欠き部３ａｂより突出させたものとなっている。また、吊下げ帯収納機構２のブラケット２１などの各構成部材は、容器形状に適合した形状に形成され、操作レバー５３ａのバネ５５も適宜のものを用いて構成するなどの設計変更が行われることは言うまでもない。
【００１７】
前記装飾ケース３ａは、内部に第１実施例と同様に吊下げ帯収納機構２を収容するための所定の取付構造（図示しない）を有しており、また、図に示すように、吊下げ帯収納装置１１の外観を携帯物用装飾品としての缶入り飲料の容器形状に擬似化し、吊下げ帯収納装置１１を携帯物用装飾品として機能させる。この装飾機能は、従来の吊下げ帯収納装置をそのままスポーツバッグ６ａに取付ける場合と比較して明らかであるが、図６に示す如く、装飾ケース体３ａは、吊下げ帯収納機構２を構成するための機能的な外形に沿わない膨出部３ａａが前後、左右、上下方向に形成されており、該膨出部３ａａ、内には、吊下げ帯収納機構２やショルダーバンド４などが配設されていない空間、即ち缶入り飲料の容器形態のみに供される形状が形成されてる。
【００１８】
また、第２実施形態の装飾ケース体３ａは、缶入り飲料の容器形状を有しているため、その奇抜さによって吊下げ帯収納装置１１の装飾性を高めることができる許りでなく、その外面に既存の缶入り飲料と同様のペイントを施すことによって、ノベルティとしての需要を喚起できる広告宣伝用の媒体として構成される。そして、缶入り飲料の容器形状は標準化されているため、複数の飲料メーカーのロゴやノベルティを製造する際に、装飾ケース体３ａの金型を兼用化することを可能にしている。
【００１９】
前記取付部３２ａは、装飾ケース体３ａの缶入り飲料の容器形状（円筒形状）に起因して、装飾ケース体３ａに一体成形させて設けても良いが、吊下げ帯収納機構２に直接的に設けられるなど別体のものとして一体的に設ける場合には、吊下げ帯収納機構２の底部に対応した大きな切り欠きを行わず、何れの場合も容器の原型をできるだけ保つように設けられている。
そして、ショルダーバンド４を収納した状態でバック１６のリング１７に取付フック１５を介して取付けされた態様では、恰も缶入り飲料の容器のみの外観形状に起因したキーホルダー的なアクセサリー、即ち携帯物用装飾品として機能するよう構成されている。この取付部３２ａは、吊下げ帯収納機構２に直接設ける場合に比べ、その形状等に自由度を持たせることが可能になり、例えば図６の（Ｂ）に示す如く、取付部３２ａを左右幅Ｗ１を、吊下げ帯収納機構２の左右幅Ｗ２よりも幅広に形成すれば、吊下げ帯収納装置１１の取付強度を高めることが可能になる。
【００２０】
また、前記取付部３２ａは、スポーツバッグ６ａ等の携帯物に対して着脱自在に構成されるので、任意の携帯物、例えばスポーツバッグ６ａ以外のバッグ類、クーラーボックス等のボックス類、ギヤーケース等のケース類等において使用可能な汎用性を備えることができると共に、装飾品としての単体販売および交換需要を喚起することが可能になる。
【００２１】
ところで、前記吊下げ帯収納装置１１は、吊下げ帯収納機能をメインの機能として販売することなく、装飾機能をメインとして携帯物用装飾品として販売することが可能であるが、さらには、装飾ケース体３ａを吊下げ帯収納機構２に対して着脱自在に構成すれば、装飾ケース体３ａの単体販売も可能になり、この場合には、装飾品としての機能をさらに高めて交換需要を一層喚起することが可能になる。
【００２２】
図７は第３実施形態の吊下げ帯収納装置を示す斜視図である。この図に示すように、第３実施形態の吊下げ帯収納装置１２は、吊下げ帯収納機構２を覆う飛行機玩具形状の装飾ケース体３ｂと、該装飾ケース体３ｂの下面部に設けられる取付部３２ｂと、操作レバー５３ａとを備えて構成されている。このものは、第２実施形態の吊下げ帯収納装置１１と同様に、吊下げ帯収納機構２の機能的外形に沿わない前後、左右、上下方向に該膨出部３ｂａをもって構成されており、かつ、広告宣伝用の媒体として構成されるが、前記取付部３２ｂは、その外観形状に影響を与えることなく飛行機の胴部と羽根部で覆い隠して、吊下げ帯収納機構２の底部を露出させることができるため、装飾ケース体３ｂの底部に設けられている。そして、バッグ６ａに予め取り付けられた図示しない基部に対して着脱可能に取付けするように一対の嵌合構造にて構成されており、吊下げ帯収納装置１２をバッグ６ａに取付けたとき、取付部３２ｂおよびバッグ６ａ側の基部を装飾ケース体３ｂで覆い隠すことができるようになっている。この場合、受注需用者としてのターゲットは、航空機メーカーであり、各メーカーの航空バッグと共に空港などで販売する販路の確保が期待できる。
なお、本実施例の取付部３２ｂを第２実施例の如き取付部３２ａとし、第２実施例の取付部３２ａを本実施例の取付部３２ｂとして良いことは勿論である。
【００２３】
図８は第４実施形態の吊下げ帯収納装置を示す斜視図である。この図に示すように、第４実施形態の吊下げ帯収納装置１３は、吊下げ帯収納機構２を覆う装飾ケース体３ｃと、図示しない取付部とを備えて構成されている。このものは、第３実施形態の吊下げ帯収納装置１２と略同様の機能を奏するが、バッグ６ａに対して一体的に取付けられるため、取付強度をさらに高めることができる許りでなく、その外観形態が従前の形態に捕らわれない意味不明の膨出部３ｃａを有する形状にデザインされ、このものは装飾性の高い吊下げ帯収納装置１３をバッグ６ａに一体化することにより、バッグ６ａの装飾的価値を高めるために供される。なお、装飾ケースは上記の実施例のものに限定されず、くま、ライオンなどの動物、ボール、小物入れスポーツバッグなどの運動用具、自動車、電車、船舶等の乗り物、ビア樽、ビン、ペットボトル等の飲料容器、ロボット、マスコット人形などのキャラクターグッズ等、様々な携帯物用装飾品に擬似化させたものを応用できることは言うまでもない。
【００２４】
叙述の如く構成された本発明の実施形態において、バッグ６等の携帯物に内装される吊下げ帯収納装置１の場合にあっては、該吊下げ帯収納装置１は、操作手段５を介してショルダーバンド４を引き込み収納する吊下げ帯収納機構２と、該吊下げ帯収納機構２を収容するケース体３とを備えおり、該ケース体３に、前記バッグ内部の上側隅部で、その上面と側面の夫々に跨らして面当てされる取付片３１、３２を設け、吊下げ帯収納装置１を、前記取付片３１，３２を介して前記上側隅部に対面させて取り付けするようになっている。このため、吊下げ帯収納装置１をバッグ６に取り付けしたものでありながら、バッグ６自体の構成部材として採用されている補強フレーム６１が、上面および両側面に跨って取り付けられ、かつバッグ６自体の制作工程に組み込まれる部材であることに着目し、従来のように吊下げ帯収納装置固有の取付け基板を用いることなく、この補強フレーム６１に対して直接的に対面取付けできるようになり、結果、バッグコーナー部となる補強フレーム６１に、ショルダーバンド４の引出口８１に連通するガイド孔６１２や操作手段５（レバー部５２と前記連結片５３２とが連結される部位）の外部へ連通する切欠き孔６１１を近接形成することが可能となり、取付け構成が極めて簡素化される。
【００２５】
つまり、補強フレーム６１に、把手６４やショルダーバンド４の引っ掛けリング（図示しない）などの付属部材をリベット止めするリベット孔と同様に、予め切欠き孔６１１やガイド孔６１２を穿設しておくことで、内装地６２や外装地６３を縫製作業の過程で、全体の布寄れ等を調整しながらバッグ本体を形成した後、前記リベット孔位置の内装地６２や外装地６３をカッター等で切断し、前記の付属部材をリベット止めする組付け作業と同様に、切欠き孔６１１やガイド孔６１２部分にもにも切り込みを入れる作業手順にて、吊下げ帯収納装置１を取付けすることができる。
したがって、作業者が把手６４やショルダーバンド４先端のフックを引っ掛けるリング等の部材を取り付けるのと同様の作業として、バッグ本来の縫製作業の一連の工程中に組み込むことができ、特異な工程が殆ど不要となり作業工数の削減と簡略化が図られ、低コストにて組付できる。
【００２６】
一方、吊下げ帯収納装置１を、前記バッグ６内部の上側角（コーナー）隅部に設ける一方、前記バッグ６の角隅部には、前記ショルダーバンド４の外部への引出口８１を形成せしめ、該引出口８１より繰り出されたショルダーバンド４を、バッグ６の上面方向と側面方向への折り返しが略均等になされるべく略４５゜の位置から引出し・引き込みされるよう構成してあるため、縦向き・横向きの２面のバッグ姿勢で使用できるタイプのものにも、何れの使い勝手においてもショルダーバンド４を振り分けて使用することができる。つまり、従来この様なバッグについては、把手６４が側面にも取り付けられてはいるものの、前記バンド係止リングは、縦向き姿勢となる上面側にのみ向けて取り付けられていたため、ショルダーバンド４は、横向き姿勢において使用できないものであった。しかしながら、前記バンド係止リングを側面下部または底面に設けておくことができるようになり、ショルダーバンド４の先端フックを、それぞれの姿勢において選択的に使用しても、何れの姿勢による使われ勝ってにおいても前記引出口８１に加わるバッグ荷重を均等化することができ、ショルダーバンド４の出し入れに伴う摩擦抵抗による解れ（傷み）や、繰り出されて巻径が小さくなった状態での取り合いを良好なものとでき、バッグが斜めにショルダーされた状態でもその付け根となる引出口８１およびその近傍における負荷や摩擦による損傷を極力回避でき、吊下げ帯収納装置１への恒久性を高めることができる。
【００２７】
また、前記バッグ６には、吊下げ帯収納装置１の対面領域に前記操作手段５を外部から操作する連通孔６１１と、ショルダーバンド４の外部への引出口８１（ガイド孔６１２）を形成せしめたことにより、吊下げ帯収納装置１の対面領域を直接的にバッグコーナー部に当接させた取付けが行える結果、当接面域を開口させることができ、かつ閉鎖蓋も不必要となって部品点数の削減が図られると共に、バッグ内部と外部の取り合い構成、即ち、前記レバー部５２と操作レバー５３との連結構造と、ショルダーバンド４の巻径変位との関係において、引出口８１との良好な摺動抵抗構成を両立して構成の簡素化が図られる。
【００２８】
また、前記ケース体３は、前記取付片３１，３２間に上面と側面に跨って対面開口する収容部（ケース部）が設けられ、前記吊下げ帯収納機構２は、この収容部に嵌装される構成となっており、収容された吊下げ帯収納機構２をバッグコーナー部に直接対面当接することができ、取り合い構成を最適なものとし得るばかりか、ケース外観をスッキリとした最小形状とすることができる。
【００２９】
また、前記吊下げ帯収納機構２の前記ケース体３への収容は、吊下げ帯収納機構２のブラケット２１に設けた係止部２１２を、前記取付片３２側の開口端縁に係止させ、これを支点として円周回りに嵌装可能に構成してあるため、バネ５５の凹溝３４とのセッティングやブラケット２１端面の係合溝３３、３３との係止がカセット式に確実かつワンタッチで行え、セッティング作業が容易である。
【００３０】
また、前記バッグ６の側面には、ショルダーバンド４が引き込み収納された際に、その余端部として収納されないショルダーパット４１を格納するパットホルダー６５が設けられていることにより、ショルダーバンド４を使用しない状態であってもショルダーパット４１がブラブラすることがなく、障害物に不用意に引っ掛けてしまうことを回避できる。
【００３１】
また、前記吊下げ帯収納装置１は、少なくとも四周面の上面及び側面に跨って設けられる補強フレーム６１に取り付けされ、前記引出し口８１は、補強フレーム６１に穿設された吊下げ帯ガイド孔６１２により形成されており、また、作手段５を、バッグ外部より操作可能に切欠きせしめた切欠き孔６１１が設けられているため、補強フレーム６１を吊下げ帯収納装置１の取付け基板として兼用することができる。
【００３２】
一方、バッグ６ａ等の携帯物に外装される吊下げ帯収納装置１１、１２、１３の場合にあっては、該吊下げ帯収納装置は、ショルダーバンド５等の吊下げ帯を引き込み収納する吊下げ帯収納機構２と、該吊下げ帯収納機構２を覆って装置外観を乗り物、動物、飲料容器、スポーツ用具、キャラクターグッズ等の携帯物用装飾品に擬似化させる装飾ケースとを備えて構成されるため、外部に取り付けられる吊下げ帯収納装置１１、１２、１３でありながら、装飾ケース体３ａ、３ｂ、３ｃ自体をアクセサリーの如く装飾品として機能させることができ、その存在によって携帯物の外観を損ねる不都合を払拭することができ、広告、宣伝用の媒体としても利用することができ、受注業者に対してロゴなどと共に固有のキャラクター形状等最適なものを提供することが可能となる。
したがって、装飾ケース体の外観を、例えば、第２実施例の如く缶入り飲料の容器に形成した装飾ケース体３ａとすれば、受注業者としてのターゲットは、ビール、ジュースなどの各種飲料製造メーカーとなり、これら業者をスポンサーにするなどの業務提携が可能となり、また、第３実施例の如く飛行機玩具形状の装飾ケース体３ｂとすれば、各種航空メーカー、玩具メーカーがターゲットとなり、これらメーカーの商品販売戦略を喚起する営業活動がおこなえるようになり、従来バッグメーカーが自ら製造する携帯物用に供される吊下げ帯収納機能をメインとしていた販売を、アクセサリーグッズ、メーカーのキャンペーングッズなどのとした装飾機能をメインとして携帯物用装飾品として提供し、販売することが可能となり、その販路および用途範囲を拡大し得る利点がある。
しかも、吊下げ帯収納機構２に対する小型化の要求を緩和し、小型化に伴うコストアップや取付強度の低下を回避することができ、小型の携帯物にも取付けできる。
【００３３】
また、前記装飾ケース体３ａ、３ｂ、３ｃは、前記吊下げ帯収納機構２またはカメラや水筒などの携帯物の機能的外形に沿わない膨出部３ａａ、３ｂａ、３ｃａを有するため、吊下げ帯収納機構２の形状や取付部１４の幅寸法に自由度を持たせることができ、吊下げ帯収納機構２が携帯物の種類によってその大きさが異なっていても収容でき、収容範囲を拡大できる許りでなく、装飾ケース１３による吊下げ帯収納機構２の保護効果を高めることができる。
【００３４】
また、前記装飾ケース体３ａは、缶入り飲料の容器形状を有するため、その奇抜さによって吊下げ帯収納装置１１の装飾性を高めることができる許りでなく、玩具、装身具などノベルティとしての需要を喚起でき、しかも、缶入り飲料の容器形状は標準化されているため、複数メーカーのノベルティを製造する際に、装飾ケース体３ａの金型を兼用化することができる。
【００３５】
また、前記装飾ケース体３ａ、３ｂを、取付部３２ａ、３２ｂによって吊下げ帯収納装置１１を携帯物に取り付けることで、吊下げ帯収納機構２に直接設ける場合に比べ、その形状等に自由度を持たせることができる。しかも、ショルダーバンド５を収納した状態でバック６ａのリング６６に取付フック４２を介して取付けされた態様では、恰も缶入り飲料の容器のみの外観形状、または飛行機玩具のみの外観形状に起因したキーホルダー的なアクセサリー、即ち携帯物用装飾品としての機能をより一層喚起させることができる。
【００３６】
また、前記取付部４２は、吊下げ帯収納機構２よりも幅広に形成されているため、携帯物に対する吊下げ帯収納装置１１の取付強度を高めることができ、さらに、取付部３２ａのカラーリングを装飾ケース体とマッチングしてあるので、携帯物用装飾品としての機能を一層喚起させることができる。
【００３７】
また、前記吊下げ帯収納装置１１、１２は、携帯物に対して着脱自在に取り付けられるため、任意の携帯物において使用可能な汎用性を備えることができると共に、装飾品としての単体販売および交換需要を喚起することができる。
【００３８】
また、第３実施形態の装飾ケース３ｂは、吊下げ帯収納装置１２が携帯物に取り付けられたとき、吊下げ帯収納装置１２側の取付部３２ｂおよび携帯物側の基部を覆い隠すため、取付部３２ｂの引っ掛かりを防止できる許りでなく、取付部による美観の低下を回避できる。
【００３９】
また、第４実施形態の吊下げ帯収納装置１３は、携帯物に対して一体的に取り付けられるため、取付強度をさらに高めることができる許りでなく、装飾性の高い吊下げ帯収納装置１３を一体化することにより、携帯物の装飾的価値を高めることができる。
【００４０】
尚、本発明は、前記実施形態に限定されないことは勿論であって、例えば吊下げ帯は、ショルダーバンドに限定されるものでなく、カメラ、ビデオカメラ等に設けられるストラップ類を含むことは言うまでもない。
【００４１】
【発明の効果】
上記のように本発明は、吊下げ帯収納装置１を携帯物に内装したものでありながら、バッグ６自体の構成部材として採用されている補強フレーム６１が、上面および両側面に跨って取り付けられ、かつバッグ自体の制作工程に組み込まれる部材であることに着目し、吊下げ帯収納装置１固有の取付け基板を用いることなく、この補強フレーム６１に対して直接的に対面取付けできるようになり、結果、バッグコーナー部に、吊下げ帯４の引出口８１や操作手段５への連通孔６１１を近接形成し得て、これらを補強フレーム６１に設けることが可能となり、取付け構成が簡素化され、作業者が把手６４やフック引っ掛け用リンク等の部材を取り付けるのと同様の作業として、バッグ本来の縫製作業の一連の工程中に組み込むことができ、特異な工程が殆ど不要となり作業工数の削減と簡略化が図られ、低コストにて組付できる。さらに、縦向き・横向きの２面のバッグ姿勢で使用できるタイプのものにも、何れの使い勝手においても吊下げ帯を振り分けて使用することができる格別の効果を奏するものである。
また、上記のように本発明は、外部に取り付けられる吊下げ帯収納装置でありながら、ケース自体をアクセサリーの如く装飾品として機能させることができ、その存在によって携帯物の外観を損ねる不都合を払拭することができるばかりか、広告、宣伝用の媒体としても利用することができ、受注業者に対してロゴなどと共に固有のキャラクター形状等最適なものを提供することが可能となり、しかも、吊下げ帯収納装置に対する小型化の要求を緩和し、小型化に伴うコストアップや取付強度の低下を回避することができ、小型の携帯物にも取付けできるようになって、吊下げ帯収納装置本来の用途範囲を拡大し得る格別の効果を奏するものである。
【図面の簡単な説明】
【図１】吊下げ帯収納装置の全体機構を示す斜視図である。
【図２】吊下げ帯収納装置をバッグ内部に取付けした第１実施形態を示す斜視図である。
【図３】吊下げ帯収納装置の取付け構成を示す平面図である。
【図４】第２実施形態の吊下げ帯収納装置を示す斜視図である。
【図５】使用状態を示す斜視図である。
【図６】（Ａ）は第２実施形態を示す吊下げ帯収納装置の正面図、（Ｂ）は取付部の形状を変更した平面図である。
【図７】第３実施形態の吊下げ帯収納装置を示す斜視図である。
【図８】第４実施形態の吊下げ帯収納装置を示す斜視図である。
【符号の説明】
１　　　吊下げ帯収納装置
１１　　吊下げ帯収納装置
１２　　吊下げ帯収納装置
１３　　吊下げ帯収納装置
２　　　吊下げ帯収納機構
２１　　ブラケット
２１１　格納部
２１２　係止部
２４１　回転部
２４２　凹部
２２　　巻取軸
２３　　ゼンマイバネ
２４　　巻取ドラム
３　　　ケース体
３ａ　　装飾ケース体
３ａａ　膨出部
３ｂ　　装飾ケース体
３ｂａ　膨出部
３ｃ　　装飾ケース体
３ｃａ　膨出部
３１　　取付片
３２　　取付片
３２ａ　取付部
３２ｂ　取付部
３２ｃ　取付部
３３　　係合溝
３４　　凹溝
３５　　ビス
４　　　ショルダーバンド
４１　　ショルダーパット
４２　　取付フック
５　　　操作手段
５１　　ラッチ体
５２　　レバー部
５２１　ピン孔
５３　　操作レバー
５３ａ　操作レバー
５３１　ピン孔
５３２　連結片
５４　　軸ピン
５５　　バネ
６　　　バッグ
６ａ　　スポーツバッグ
６１　　補強フレーム
６１１　連通孔
６１２　ガイド孔
６２　　内装地
６３　　外装地
６４　　把手
６５　　パットホルダー
６６　　リング
７　　　スライド板
８　　　補強パット
８１　　引出口
９　　　リベット
【図１】
2004129846.tif 000003
【図２】
2004129846.tif 000004
【図３】
2004129846.tif 000005
【図４】
2004129846.tif 000006
【図５】
2004129846.tif 000007
【図６】
2004129846.tif 000008
【図７】
2004129846.tif 000009
【図８】
2004129846.tif 000010